(57)【要約】【課題】  履物により改良された通気性を提供する。【解決手段】  履物用通気性ソール構造体１０は、複数の孔２０を備えた区域１８を有するインソール１２と、複数の孔２６を備えた区域２４を有するアウトソール１４と、微細孔３６を備えた親水性膜３２および微細孔３８を備えた疎水性膜３４を含む機能性膜システム１６とを含んでなる。インソール１２とアウトソール１４は共に接着されている。機能性膜システム１６は、インソール１２とアウトソール１４に挟まれ、さらに区域１８と区域２４の間に位置する。【選択図】図２
2005224608.tif 000002
【特許請求の範囲】
【請求項１】
インソールであって、このインソールを横断する複数の孔を備えた区域を有するインソールと、
アウトソールであって、このアウトソールを横断する複数の孔を備えた区域を有するアウトソールと、
微孔性親水性膜および微孔性疎水性膜を含む機能性膜システムと
を含んでなる履物用通気性ソール構造体であって、
前記インソールと前記アウトソールが共に接着されており、
前記機能性膜システムが前記インソールと前記アウトソールに挟まれ、前記機能性膜システムがさらに前記区域間に位置する通気性ソール構造体。
【請求項２】
前記機能性膜システムが、単一の積層された二層の機能性膜システムである請求項１に記載の履物用通気性ソール構造体。
【請求項３】
前記インソールと前記アウトソールが、プレス接着法および射出成形法からなる群より選択される一方法によって相互に接着されている請求項１に記載の履物用通気性ソール構造体。
【請求項４】
前記アウトソールがトレッドをさらに含む請求項１に記載の履物用通気性ソール構造体。
【請求項５】
前記微孔性親水性膜が、２５０μ〜１２００μの範囲の厚さ、０．１μ〜１μの範囲の平均孔径、４５秒／１０ｃｃのガーレー、および６０％〜７０％の範囲の多孔率を有する請求項１に記載の履物用通気性ソール構造体。
【請求項６】
前記微孔性親水性膜がさらに、厚さによって２０ｍｇ／ｃｍ2〜６０ｍｇ／ｃｍ2の範囲の吸収性、１００％／２ｈの放出性、および厚さによって６０ｍｇ／ｃｍ2／８ｈ〜１３０ｍｇ／ｃｍ2／８ｈの範囲の蒸気透過性を有する請求項５に記載の履物用通気性ソール構造体。
【請求項７】
前記微孔性疎水性膜が、３０％〜６０％の範囲の多孔率、０．０２μ×０．０８μ〜０．２μ×１．５μの範囲の平均孔径、８μ〜５０μの範囲の厚さ、５〜１００秒／１０ｃｃの範囲のガーレーを有する請求項１に記載の履物用通気性ソール構造体。
【請求項８】
前記微孔性疎水性膜がさらに、１５ｋｐｓｉ〜１９ｋｐｓｉの範囲の引張強度（機械方向）および１．２ｋｐｓｉ〜２．２ｋｐｓｉの範囲の引張強度（横方向）を有する請求項７に記載の履物用通気性ソール構造体。
【請求項９】
前記微孔性疎水性膜が、５５％の多孔率、０．２０９μ×０．０５４μの平均孔径、２５μ以下の厚さ、および少なくとも９秒／１０ｃｃのガーレーを有する請求項１に記載の履物用通気性ソール構造体。
【請求項１０】
前記微孔性親水性膜がポリオレフィンを含んでなる請求項１に記載の履物用通気性ソール構造体。
【請求項１１】
前記ポリオレフィンが、ポリエチレン、ポリプロピレンおよびその組合せからなる群より選択される請求項１０に記載の履物用通気性ソール構造体。
【請求項１２】
前記微孔性疎水性膜がポリオレフィンを含んでなる請求項１に記載の履物用通気性ソール構造体。
【請求項１３】
前記ポリオレフィンが、ポリエチレン、ポリプロピレンおよびその組合せからなる群より選択される請求項１２に記載の履物用通気性ソール構造体。
【発明の詳細な説明】
【技術分野】
【０００１】
本発明は、履物用の通気性ソール構造体に関する。
【背景技術】
【０００２】
特に靴などの履物は、通常２つの主要な構成要素、すなわち、靴甲部とソールを含む。靴甲部の一般的な目的は、足をぴったりと快適に包囲することである。理想的には靴甲部は、魅力的で、高耐久性で、快適な材料または材料の組合せから作成されるべきである。耐久性材料から構成されたソールは、牽引力を提供し、使用中に足を保護するように設計されている。ソールはまた通例、生成される相当な力から着用者の足、足首、および脚を保護するために、強化された緩衝作用およびショックの吸収を運動活動中に提供するという重要な機能を果たす。
【０００３】
運動靴、日常用ウォーキングシューズ、および作業用長靴などの多くの種類の履物は、通気性が乏しいという欠点を有する。靴甲部およびソールは、足に呼吸をさせない。足が呼吸できないと、汗が発散されない。そしてこの汗の蓄積が、細菌や真菌などの増殖はもちろんのこと、付随する不快な臭気および皮膚障害を促進する。
【０００４】
ここに引用することにより本明細書の一部をなすものとする特許文献１は、靴用の改良通気システムを開示している。この特許文献において、靴ソールはアウトソールとインソールから作られ、これらインソール／アウトソール複合構造の厚さにわたって穴が備えられている。このソール構造はさらに、インソールとアウトソールの間に配置された微孔性防水膜を含んでいる。この膜は、足に呼吸をさせる。したがって、汗は発散される。
【０００５】
上述した靴の通気性の解決策は、商業上の成功を満足させているが、履物のよりよい改良された通気に対する要求が依然ある。
【特許文献１】米国特許第５，０４４，０９６号明細書
【発明の開示】
【０００６】
本発明は、履物用の通気性ソール構造体である。この履物ソール構造体は、インソールとアウトソールと機能性膜システムとを含んでなる。インソールは、複数の貫通孔を備えた区域を有する。アウトソールは、複数の貫通孔を備えた区域を有する。機能性膜システムは、微孔性親水性膜および微孔性疎水性膜を有する。インソールとアウトソールは、機能性膜システムがその間に挟まれるように、相互に接着されている。そして、さらに機能性膜システムは前記両区域に並んで設けられている。
【０００７】
本発明を説明するために、添付した図面に現時点の好ましい形態を示す。しかしながら、本発明は、この示した正確な機構および手段に限定されないことが理解される。
【発明を実施するための最良の形態】
【０００８】
図面を参照すると、図１および図２にソール１０の好ましい実施形態が示されている。なお、同じ符号は同じ構成要素を示す。ソール１０は、インソール１２、アウトソール１４、および機能性膜システム１６を含んでなる。インソール１２とアウトソール１４は相互に接着され、機能性膜１６はその間に挟まれている。インソール１２は、足が載る靴内部に面している。これに対してアウトソール１４は、外界に露出されている。
【０００９】
インソール１２は、合成材料、ゴム、または同様の材料で作成できる。インソール１２は穿孔領域１８を含む。穿孔領域１８は、複数の孔２０が設けられる区域を画定する。孔２０はインソール１２を横断する。インソール１２はさらに、上部連結領域２２を含む。上部連結領域２２は、本明細書で使用されるように、穿孔領域１８３の外周とインソール１２の周囲との間の領域として定義される。
【００１０】
アウトソール１４は、合成材料、ゴム、または同様の材料で作成できる。アウトソール１４は、穿孔領域２４を含む。穿孔領域２４は、複数の孔２６が設けられる区域を画定する。孔２６はアウトソール１２を横断する。アウトソール１２はさらに、下部連結領域２８を含む。下部連結領域２８は本明細書で使用されるように、穿孔領域２４の外周およびアウトソール１４の周囲の間の領域として定義される。アウトソール１４は、トレッド３０も含む。
【００１１】
機能性膜システム１６は、親水性膜３２と疎水性膜３４を含む。膜とは、本明細書で使用されるように、多孔性（すなわち微孔性）または非孔性のどちらかである薄い柔軟性のシートを指す。好ましくは膜は、微孔性である。膜は、合成ポリマー、セルロース、または合成修飾セルロースからできている。合成ポリマーは、これらに限定されるわけではないが、ポリエチレン、ポリプロピレン、ポリブチレン、ポリ（イソブチレン）、ポリ（メチルペンテン）、ポリスルホン、ポリエーテルスルホン、ポリエステル、ポリエーテルイミド、ポリアクリルニトリル、ポリアミド、ポリメチルメタクリレート（ＰＭＭＡ）、エチレンビニルアルコール、およびフッ素化ポリオレフィンを含む。好ましくは膜は、ポリオレフィンからできている。
【００１２】
親水性膜３２は好ましくは、足の発汗を促進するために湿気を吸収する。従って足をより乾燥状態に保つ。好ましくは、親水性膜３２は微細孔３６を含む。親水性膜３２は、２５０μ〜１２００μの範囲の厚さ、０．１μ〜１μの範囲の平均孔径、４５秒／１０ｃｃのガーレー（Ｇｕｒｌｅｙ）透気度、および６０％〜７０％の範囲の平均多孔率を有することができる。さらに、親水性膜３２は、厚さによって２０ｍｇ／ｃｍ2〜６０ｍｇ／ｃｍ2の範囲の吸収性、１００％／２ｈの放出性、および厚さによって６０ｍｇ／ｃｍ2／８ｈ〜１３０ｍｇ／ｃｍ2／８ｈの範囲の蒸気透過性を有することができる。親水性膜３２は、Ａｅｒｏｓｈｏｅという名称または他の名称で、ノースカロライナ州シャーロットのＤａｒａｍｉｃ，Ｉｎｃ．より市販されている。
【００１３】
好ましくは、疎水性膜３４は微細孔３８を含む。疎水性膜３４は、３０％〜６０％の範囲の平均多孔率、０．０２μ×０．０８μ〜０．２μ×１．５μの範囲の平均孔径、８μ〜５０μの範囲の厚さ、５〜１００秒／１０ｃｃの範囲のガーレー（Ｇｕｒｌｅｙ）透気度を有することができる。さらに、疎水性膜３４は、１５ｋｐｓｉ〜１９ｋｐｓｉの範囲の引張強度（機械方向）および１．２ｋｐｓｉ〜２．２ｋｐｓｉの範囲の引張強度（横方向）を有することができる。好ましくは、疎水性膜３４は５５％の多孔率、０．２０９μ×０．０５４μの平均孔径、２５μ以下の厚さ、および少なくとも９秒／１０ｃｃのガーレー（Ｇｕｒｌｅｙ）透気度を有する。疎水性膜３４は、Ｃｅｌｇａｒｄ  ２５００という名称で、ノースカロライナ州シャーロットのＣｅｌｇａｒｄ  Ｃｏｒｐ．より市販されている。
【００１４】
好ましくは親水性膜３２と疎水性膜３４を共に接着して、単一の二層の機能性膜システム１６を形成する。
【００１５】
インソール１２とアウトソール１４は、上部連結領域２２と下部連結領域２８において共に接着され、親水性膜３２が穿孔領域１８に面し、疎水性膜３４が穿孔領域２４に面するように、機能性膜システム１６がその間に挟まれる。
【００１６】
インソール１２およびアウトソール１４は、これらに限定されるわけではないが、プレス接着法または射出成形法を含む各種の既知の技法によって共に接着される。プレス接着法において、インソール１２とアウトソール１４は事前に個別に成形され、次に機能性膜システム１６がインソール１２とアウトソール１４の間に配置され、さらにインソール１２とアウトソール１４が上部連結領域２２と下部連結領域２８にて接着剤によって相互に接着される。射出成形法において、アウトソール１４は型内に射出され、次に機能性膜システム１６が配置され、続いてインソール１２が射出される。得られた構造体はモノリシックソール１０であり、足の呼吸を促進すると同時に、水が靴の中に浸透するのを防止する。
【００１７】
インソール１２とアウトソール１４の間に機能性膜システムを挟んで接着したものの最終結果は、図１に示すようなソール１０であり、これは、靴の中へ水が浸透するのを防止するために、一方向では水が不透過であるが、履物により優れた、改良された通気性を提供するために、その反対方向では足からの汗を発散させる。
【００１８】
本発明は、その精神および本質的な属性から逸脱することなく他の形式で具現され、したがって、本発明の範囲は、上述の明細書の内容よりもむしろ添付の特許請求の範囲を参照すべきである。
【図面の簡単な説明】
【００１９】
【図１】本発明の好ましい実施形態の断面図である。
【図２】本発明によるソール構造体の等角分解図である。
【符号の説明】
【００２０】
１０  ソール
１２  インソール
１４  アウトソール
１６  機能性膜システム
１８  穿孔領域
２０  孔
２２  上部連結領域
２４  穿孔領域
２６  孔
２８  下部連結領域
３０  トレッド
３２  親水性膜
３４  疎水性膜
３６、３８  微細孔
【図１】
2005224608.tif 000003
【図２】
2005224608.tif 000004